Podtech/llm-jp-corpus-v4-ja_patent huggingface dataset:
【手続補正書】
【提出日】平成16年9月10日(2004.9.10)
【手続補正１】
【補正対象書類名】明細書
【補正対象項目名】特許請求の範囲
【補正方法】変更
【補正の内容】
【特許請求の範囲】
【請求項１】
ＭＲ撮像部から送られる核磁気共鳴信号を演算処理し画像再構成する演算手段と、前記演算手段で形成された画像データを格納する記憶手段と、前記演算手段で演算処理された結果を表示する表示手段とを備えた磁気共鳴イメージング装置において、
前記記憶手段に格納された画像データのうち、第一の計測目標を含む第一の断面の画像と、第二の計測目標を含み、前記第一の断面と平行な第二の断面の画像とを選択し表示する手段と、前記第一の断面における第一の計測目標の位置座標を読み取りかつ記憶する手段と、第二の画像上に前記第一の計測目標に対応する位置を表示する手段と、第二の画像上に表示された第一の計測目標の位置と第二の計測目標とからスライス位置を決定する手段とを備えたことを特徴とする磁気共鳴イメージング装置。
【請求項２】
請求項１記載の磁気共鳴イメージング装置であって、
前記スライス位置を決定する手段は、表示された画面上の所望の位置の指定を受け付ける入力手段を備え、前記入力手段によって指定された、前記第二の画像上の第一の計測目標の位置と第二の計測目標の位置とを通る線を含む面をスライス面として決定することを特徴とする磁気共鳴イメージング装置。
【請求項３】
請求項１記載の磁気共鳴イメージング装置であって、
前記スライス位置を決定する手段は、画面上への直線の描出と当該直線の位置の選択を受け付ける入力手段を備え、前記入力手段によって選択された直線の位置を含む面をスライス面として決定することを特徴とする磁気共鳴イメージング装置。
【手続補正書】
【提出日】平成16年9月30日(2004.9.30)
【手続補正１】
【補正対象書類名】明細書
【補正対象項目名】発明の名称
【補正方法】変更
【補正の内容】
【発明の名称】核磁気共鳴イメージング装置
【手続補正２】
【補正対象書類名】明細書
【補正対象項目名】特許請求の範囲
【補正方法】変更
【補正の内容】
【特許請求の範囲】
【請求項１】
被検体が置かれる空間に静磁場を発生する静磁場発生手段と、
前記被検体に傾斜磁場を印加する傾斜磁場印加手段と、
前記被検体に磁気共鳴周波数のＲＦパルスを印加する高周波磁場発生手段と、
前記被検体から発生するエコー信号を検出する信号検出手段と、
前記検出されたエコー信号を用いて画像を再構成する画像再構成手段と、
前記傾斜磁場印加手段、高周波磁場発生手段及び信号検出手段を制御する制御手段とを備えた核磁気共鳴イメージング装置において、
前記制御手段は、前記被検体に磁気共鳴周波数のＲＦパルスを照射後、画像用エコー信号を時系列的に検出するシーケンスを複数回繰り返し画像データを得、その際、
ａ）各ＲＦパルスに対して少なくも1つの位相エンコード量０のナビゲーションエコーを付加的に発生させ、そのうちの1つを基準ナビゲーションエコーとし、各ナビゲーションエコーと基準ナビゲーションエコー間の各時相における位相差を作成し、
ｂ）前記画像用エコー信号の各時相における位相を、その画像用エコー信号と同一のＲＦパルスで生じたナビゲーションエコーについて作成された前記位相差で補正し、この補正を各ＲＦパルスで生じた画像用エコー信号について実施することを特徴とする核磁気共鳴イメージング装置。
【請求項２】
被検体が置かれる空間に均一な静磁場を発生する均一磁場発生手段と、
互いに直交する３方向の傾斜磁場を被検体に印加する傾斜磁場印加手段と、
ＲＦパルスを被検体に印加する高周波磁場発生手段と、
前記被検体から発生するエコーを検出する信号検出手段と、
傾斜磁場の発生、ＲＦ磁場の発生及び信号の検出を所定のシーケンスで実行し、検出された信号で画像再構成計算を実行する制御手段とを備えた磁気共鳴イメージング装置において、
前記制御手段は、所定の繰り返し時間でエコー信号を取得し、少なくとも１つのスライスの画像データ信号を得るためにエコー信号の取得を繰り返し、各繰り返し時間でナビゲーションエコーを発生させて、基準となるナビゲーションエコーと他のナビゲーションエコーとの位相差を求め、前記位相差に基き画像エコー信号の位相をｋ空間で補正することを特徴とする磁気共鳴イメージング装置。
【請求項３】
被検体が置かれる空間に静磁場を発生する静磁場発生手段と、
前記被検体に傾斜磁場を印加する傾斜磁場印加手段と、
前記被検体に磁気共鳴周波数のＲＦパルスを印加する高周波磁場発生手段と、
前記被検体から発生するエコー信号を検出する信号検出手段と、
前記検出されたエコー信号を用いて画像を再構成する画像再構成手段と、
前記傾斜磁場印加手段、高周波磁場発生手段及び信号検出手段を制御する制御手段とを備えた核磁気共鳴イメージング装置において、
前記制御手段は、前記被検体に磁気共鳴周波数のＲＦパルスを照射すると同時にスライス方向の傾斜磁場パルスを印加してスライス選択し、読み出し方向の傾斜磁場オフセット量を与えるとともにスライス方向及び／又は位相エンコード方向の傾斜磁場パルスを印加し、更に連続して反転する読み出し方向の傾斜磁場パルスを印加し、これに同期して位相エンコード方向の傾斜磁場パルスを印加し、反転する読み出し傾斜磁場の各周期内で発生するエコー信号Ｓ（kx,ky,kz）を時系列的に検出するシーケンスを複数（Ｎ）回繰り返し画像データを得、その際、
ａ）ｎ（１≦ｎ≦Ｎ）番目のＲＦパルスに対して、軸α（αはｘ、ｙ又はｚのいずれかを表す）方向に少なくとも１つの位相エンコード量０のナビゲーンョンエコーＶ（kα,n）を付加的に発生させ、そのナビゲーンョンエコーと基準ナビゲーションエコーとの位相差をｋα（ｋαは軸α方向のデータ番号を表す）の関数として計算した位相シフトマップＣ（kα,n）を作成し、
ｂ）前記位相シフトマップＣ（kα,n）を用いて、ｎ番目のナビゲーンョンエコーと同一のＲＦパルスで生じたエコー信号Ｓ（kx,ky,kz）の位相をｋ空間でα方向に補正することを特徴とする核磁気共鳴イメージング装置。
【請求項４】
前記制御手段は、前記位相マップＣ（kα,n）を作成する際に、更に該位相シフトマップＣ（kα,n）にフィルタ処理を行うことを特徴とする請求項３記載の核磁気共鳴イメージング装置。
【請求項５】
前記制御手段は、前記位相マップＣ（kα,n）を作成する際に、該位相シフトマップＣ（kα,n）を関数でフィッティングすることを特徴とする請求項３又は４記載の核磁気共鳴イメージング装置。
【請求項６】
被検体が置かれる空間に均一な静磁場を発生する静磁場発生手段と、
互いに直交する３方向の傾斜磁場を被検体に印加する傾斜磁場印加手段と、
ＲＦパルスを被検体に印加する高周波磁場発生手段と、
前記被検体から発生するエコーを検出する信号検出手段と、
ＲＦパルスと３方向の傾斜磁場を被検体に印加して被検体から時系列の画像用エコー信号を発生させるとともに前記画像用エコー信号を検出する計測単位を複数回繰り返すことにより画像再構成に必要な画像データを取得し、前記複数の計測単位のそれぞれについて、前記３方向の一つであるα方向の傾斜磁場パルスを被検体に印加してナビゲーターエコーを発生させて取得する制御手段と、
前記複数の計測単位のうちの特定の計測単位で収集されたナビゲーターを基準として、前記複数の計測単位のそれぞれで収集された各ナビゲーターエコーの位相シフトマップを、前記α方向を関数とするｋ空間で作成し、前記複数の計測単位のそれぞれで収集された各ナビゲーターエコーの位相シフトマップに従って、前記複数の計測単位のそれぞれで収集された画像用エコー信号の各時相における位相をｋ空間で補正し、補正した画像用エコー信号から画像を再構成する手段とを備えたことを特徴とする核磁気共鳴イメージング装置。
【手続補正３】
【補正対象書類名】明細書
【補正対象項目名】００１１
【補正方法】変更
【補正の内容】
【００１１】
本発明は、ピクセル単位以上の動きによるアーチファクトをなくすことができる位相補正方法を提供することを目的とする。また本発明はリアルタイムで位相補正でき、アーチファクトのない画像を得られるＭＲＩ方法を実現するＭＲＩ装置を提供することを目的とする。
【手続補正書】
【提出日】平成16年10月8日(2004.10.8)
【手続補正１】
【補正対象書類名】明細書
【補正対象項目名】発明の名称
【補正方法】変更
【補正の内容】
【発明の名称】磁気共鳴イメージング装置
【手続補正２】
【補正対象書類名】明細書
【補正対象項目名】特許請求の範囲
【補正方法】変更
【補正の内容】
【特許請求の範囲】
【請求項１】
静磁場を発生する静磁場発生手段と、前記静磁場の不均一をその空間成分毎に補正するシミング手段と、前記静磁場空間のスライス方向、位相エンコード方向、及びリードアウト方向にそれぞれスライス傾斜磁場、位相エンコード傾斜磁場、及びリードアウト傾斜磁場の各傾斜磁場を発生する傾斜磁場発生手段と、前記静磁場空間に配置された被検体を組成する原子の原子核スピンに核磁気共鳴を誘起するための高周波磁場を発生する高周波磁場発生手段と、前記被検体からの核磁気共鳴により生ずるエコー信号を受信する受信手段と、前記受信された核磁気共鳴信号から前記被検体の画像を再構成する信号処理手段と、所定のパルスシーケンスに基づいて前記傾斜磁場発生手段と前記高周波磁場発生手段と前記受信手段と前記信号処理手段を制御する計測制御手段とを備え、
前記計測制御手段は、前記高周波磁場の照射により前記被検体の所望の体積部分を励起し、次いで所定の静磁場不均一検出用パルスシーケンスにより、前記体積部分についての静磁場不均一を表すエコー信号を取得し、
前記信号処理手段は、前記静磁場不均一を表すエコー信号から前記体積部分の静磁場分布を得、この静磁場分布を前記シミング手段が発生する空間成分毎の磁場分布で展開し、該静磁場分布を均一化するように前記シミング手段の空間成分毎に流す電流の最適値を求め、
前記シミング手段は、その空間成分毎に前記最適値の電流を流す磁気共鳴イメージング装置において、
前記静磁場不均一検出用パルスシーケンスは、前記スライス方向にスライスエンコード傾斜磁場を、位相エンコード方向に位相エンコード傾斜磁場を、リードアウト方向に連続反転する傾斜磁場をそれぞれ印加する基本シーケンスを繰り返し、
前記信号処理手段は、前記静磁場不均一を表すエコー信号から前記被検体のボクセル毎のスペクトルを求め、その特定ピークの共鳴周波数を静磁場強度に換算することにより、前記ボクセル毎の静磁場分布を得ることを特徴とする磁気共鳴イメージング装置。
【請求項２】
請求項１記載の磁気共鳴イメージング装置において、
前記信号処理手段は、前記ボクセル毎の静磁場分布を球面調和関数の１次項および２次項を用いて展開して、それぞれの空間成分毎に前記最適電流値を求め、
前記シミング手段は、概略球面調和関数の１次項および２次項を生成する少なくとも８つの空間成分を有して、その空間成分毎に対応する前記最適電流を流すことを特徴とする磁気共鳴イメージング装置。
【請求項３】
請求項１又は２記載の磁気共鳴イメージング装置において、
前記計測制御手段は、前記リードアウト方向のマトリクス数を残りの２方向よりも大きく設定することを特徴とする磁気共鳴イメージング装置。
【手続補正３】
【補正対象書類名】明細書
【補正対象項目名】００１３
【補正方法】変更
【補正の内容】
【００１３】
即ち、本発明の磁気共鳴イメージング装置は、静磁場を発生する静磁場発生手段と、前記静磁場の不均一をその空間成分毎に補正するシミング手段と、前記静磁場空間のスライス方向、位相エンコード方向、及びリードアウト方向にそれぞれスライス傾斜磁場、位相エンコード傾斜磁場、及びリードアウト傾斜磁場の各傾斜磁場を発生する傾斜磁場発生手段と、前記静磁場空間に配置された被検体を組成する原子の原子核スピンに核磁気共鳴を誘起するための高周波磁場を発生する高周波磁場発生手段と、前記被検体からの核磁気共鳴により生ずるエコー信号を受信する受信手段と、前記受信された核磁気共鳴信号から前記被検体の画像を再構成する信号処理手段と、所定のパルスシーケンスに基づいて前記傾斜磁場発生手段と前記高周波磁場発生手段と前記受信手段と前記信号処理手段を制御する計測制御手段とを備え、
前記計測制御手段は、前記高周波磁場の照射により前記被検体の所望の体積部分を励起し、次いで所定の静磁場不均一検出用パルスシーケンスにより、前記体積部分についての静磁場不均一を表すエコー信号を取得し、
前記信号処理手段は、前記静磁場不均一を表すエコー信号から前記体積部分の静磁場分布を得、この静磁場分布を前記シミング手段が発生する空間成分毎の磁場分布で展開し、該静磁場分布を均一化するように前記シミング手段の空間成分毎に流す電流の最適値を求め、
前記シミング手段は、その空間成分毎に前記最適値の電流を流す磁気共鳴イメージング装置において、
前記静磁場不均一検出用パルスシーケンスは、前記スライス方向にスライスエンコード傾斜磁場を、位相エンコード方向に位相エンコード傾斜磁場を、リードアウト方向に連続反転する傾斜磁場をそれぞれ印加する基本シーケンスを繰り返し、
前記信号処理手段は、前記静磁場不均一を表すエコー信号から前記被検体のボクセル毎のスペクトルを求め、その特定ピークの共鳴周波数を静磁場強度に換算することにより、前記ボクセル毎の静磁場分布を得る。
【手続補正４】
【補正対象書類名】明細書
【補正対象項目名】００１６
【補正方法】変更
【補正の内容】
【００１６】
また、本発明の好適な態様においては、前記信号処理手段は、前記ボクセル毎の静磁場分布を球面調和関数の１次項および２次項を用いて展開して、それぞれの空間成分毎に前記最適電流値を求め、前記シミング手段は、概略球面調和関数の１次項および２次項を生成する少なくとも８つの空間成分を有して、その空間成分毎に対応する前記最適電流を流す。本発明においてシミング手段として、１次項の磁場分布を有する傾斜磁場コイル及び概略２次項以上の高次磁場分布を有するシムコイルを利用する。
【手続補正５】
【補正対象書類名】明細書
【補正対象項目名】００１９
【補正方法】変更
【補正の内容】
【００１９】
更に、本発明の好適な態様として、３次元ＲＳＩ法において、前記計測制御手段は、前記リードアウト方向のマトリクス数を残りの２方向よりも大きく設定する。これにより静磁場計測時間を実質的に延長することなく、スペクトル方向に高精度な情報を得ることができる。
【手続補正書】
【提出日】平成16年9月30日(2004.9.30)
【手続補正１】
【補正対象書類名】明細書
【補正対象項目名】発明の名称
【補正方法】変更
【補正の内容】
【発明の名称】磁気共鳴イメージング装置
【手続補正２】
【補正対象書類名】明細書
【補正対象項目名】特許請求の範囲
【補正方法】変更
【補正の内容】
【特許請求の範囲】
【請求項１】
静磁場中に置かれた被検体に磁気共鳴周波数のRFパルスを照射するRFパルス照射手段と、前記被検体から発生する画像用のエコー信号と体動補正用のナビゲーションエコー信号を検出するエコー信号検出手段と、得られた前記２種類のエコー信号を用いて体動補正された画像を再構成する画像再構成手段と、前記RF照射手段、エコー信号検出手段及び画像再構成手段を制御する制御手段とを備え、
前記制御手段は、前記２種類のエコー信号を検出するシーケンスを連続して繰り返し、画像再構成に用いる画像用エコー信号の少なくとも一部を順次更新して複数の体動補正された画像を得、その際、基準となるナビゲーションエコー信号を一つ選択し、選択された基準ナビゲーションエコー信号に対する他のナビゲーションエコー信号との差に基いて前記体動補正を行う磁気共鳴イメージング装置において、
前記基準ナビゲーションエコー信号を、前記シーケンスの繰り返しの進行とともに更新していくことを特徴とする磁気共鳴イメージング装置。
【請求項２】
静磁場中に置かれた被検体に磁気共鳴周波数のＲＦパルスを照射するＲＦパルス照射手段と、前記被検体から発生するエコー信号を検出するエコー信号検出手段と、得られたエコー信号を用いて画像を再構成する画像再構成手段と、前記ＲＦパルス照射手段、エコー信号検出手段及び画像再構成手段を制御する制御手段とを備え、前記被検体に磁気共鳴周波数のＲＦパルスを照射後、エコー信号を時系列的に検出するシーケンスと、得られたエコー信号を用いて画像を再構成するステップとを連続して繰り返し、画像再構成に用いるエコー信号の一部を順次更新して動画像を得る磁気共鳴イメージング装置において、
前記制御手段は、前記ＲＦパルス照射毎にナビゲーションエコーを発生させると共にこれを検出し、画像毎に、画像再構成に用いるエコー信号を位相するための基準となるナビゲーションエコーを準じ更新して前記エコー信号を位相補正し、画像を得るように前記ＲＦパルス照射手段、エコー信号検出手段及び画像再構成手段を制御することを特徴とする磁気共鳴イメージング装置。
【請求項３】
静磁場中に置かれた被検体に所定の間隔で磁気共鳴周波数のＲＦパルスを繰り返し照射する手段と、
前記ＲＦパルス照射手段からのＲＦパルスの照射の各々に応答して前記被検体の所定のスライス面の所定領域から発生するエコー信号群及び少なくとも一つのナビゲーターエコーを取得するために前記被検体を囲む静磁場空間に傾斜磁場を印加する手段と、
前記傾斜磁場印加手段からの傾斜磁場の印加に応答して発生した各エコー信号群に属するエコー信号群とナビゲーターエコーとを検出する手段と、
前記エコー検出手段で取得した複数のエコー信号群を用いて所定のスライス面の画像を再構成する手段とを備えた磁気共鳴イメージング装置において、
前記画像再構成手段は、各画像再構成において、前記エコー検出手段から新たに取得した少なくとも一つのエコー信号群とそれ以前の画像を再構成するのに用いた複数のエコー信号群の一部を用いて前記所定のスライス面の結果画像を再構成し、画像再構成のそれぞれに用いた複数のエコー信号群の一つに属するナビゲーターエコーの一つを基準ナビゲーターエコーとし、当該基準ナビゲーターエコーとそれ以外のナビゲーターエコーとの位相差を決定し、画像再構成に用いられた複数のエコー信号群の位相を、前記決定された位相差に基き補正し、複数のエコー信号群の各々の位相補正に用いた基準ナビゲーターエコーを画像再構成毎に更新することを特徴とする磁気共鳴イメージング装置。
【請求項４】
請求項３記載の磁気共鳴イメージング装置であって、さらに、順次再構成される複数の画像から動画を作成し、表示する手段を備えたことを特徴とする磁気共鳴イメージング装置。
【手続補正３】
【補正対象書類名】明細書
【補正対象項目名】００１０
【補正方法】変更
【補正の内容】
【００１０】
そこで本発明は、動画像における高い時間分解能を保持したうえで、体動補正を行なうことができるＭＲＩ方法を実現するＭＲＩ装置を提供することを目的とする。
【手続補正４】
【補正対象書類名】明細書
【補正対象項目名】００１１
【補正方法】変更
【補正の内容】
【００１１】
【課題を解決するための手段】
本発明のＭＲＩ装置では、被検体に磁気共鳴周波数のＲＦパルスを照射後、エコー信号を時系列的に検出するシーケンスと、得られたエコー信号を用いて画像を再構成するステップとを連続して繰り返し、画像再構成に用いるエコー信号の一部を順次更新して動画像を得るＭＲＩ装置において、ＲＦパルス照射毎にナビゲーションエコーを発生させると共にこれを検出し、画像毎に、画像再構成に用いるエコー信号を位相するための基準となるナビゲーションエコーを準じ更新して前記エコー信号を位相補正し、画像を得るものである。
【手続補正５】
【補正対象書類名】明細書
【補正対象項目名】００１６
【補正方法】変更
【補正の内容】
【００１６】
図３は、本発明が適用される典型的なＭＲＩ装置の概略構成を示す図で、このＭＲＩ装置は、被検体401の周囲に静磁場を発生する磁石402と、該空間に傾斜磁場を発生する傾斜磁場コイル403と、この領域に高周波磁場を発生するRFコイル404と、被検体401が発生するMR信号を検出するRFプローブ405とを備えている。ベッド412は被検体が横たわるためのものである。
【手続補正書】
【提出日】平成16年9月2日(2004.9.2)
【手続補正１】
【補正対象書類名】明細書
【補正対象項目名】特許請求の範囲
【補正方法】変更
【補正の内容】
【特許請求の範囲】
【請求項１】
眼科測定装置と、
眼科測定装置からの画像を取り込む画像取り込み装置と、
画面をタッチすることにより画像取り込み装置を操作できるとともに取り込まれた画像を表示できる第１のモニタと、
前記画像取り込み装置と接続され取り込まれた画像を表示できる第２のモニタとから構成され、
眼科測定装置並びに第１のモニタをケーブルを介して前記画像取り込み装置と接続することを特徴とする眼科測定システム。
【請求項２】
前記第２のモニタの画面をタッチすることにより画像取り込み装置を操作できるようにしたことを特徴とする請求項１に記載の眼科測定システム。
【手続補正２】
【補正対象書類名】明細書
【補正対象項目名】０００５
【補正方法】変更
【補正の内容】
【０００５】
【課題を解決するための手段】
本発明は、この課題を解決するために、眼科測定装置と、眼科測定装置からの画像を取り込む画像取り込み装置と、画面をタッチすることにより画像取り込み装置を操作できるとともに取り込まれた画像を表示できる第１のモニタと、前記画像取り込み装置と接続され取り込まれた画像を表示できる第２のモニタとから構成され、眼科測定装置並びに第１のモニタをケーブルを介して前記画像取り込み装置と接続する構成を採用している。
【手続補正３】
【補正対象書類名】明細書
【補正対象項目名】０００６
【補正方法】削除
【補正の内容】
【手続補正４】
【補正対象書類名】明細書
【補正対象項目名】００１７
【補正方法】変更
【補正の内容】
【００１７】
【発明の効果】
以上説明したように、本発明では、眼科測定装置と、眼科測定装置からの画像を取り込む画像取り込み装置と、画面をタッチすることにより画像取り込み装置を操作できるとともに取り込まれた画像を表示できる第１のモニタと、前記画像取り込み装置と接続され取り込まれた画像を表示できる第２のモニタとから構成され、眼科測定装置並びに第１のモニタをケーブルを介して前記画像取り込み装置と接続する構成が採用されているので、安価で設置スペースを節約できる眼科測定システムが得られる。
【手続補正書】
【提出日】平成16年9月14日(2004.9.14)
【手続補正１】
【補正対象書類名】明細書
【補正対象項目名】０００５
【補正方法】変更
【補正の内容】
【０００５】
このような付着部４０ａ，４１ａに電極パターンを有する試験片４０，４１は、あらかじめ測定器５０，５１に挿入されることで装着状態とされ、その後、測定器５０，５１外に位置する付着部４０ａ，４１ａに試料を付着させてから測定が開始される。測定終了後、試験片４０，４１は、図１３に示す状態では、図示しないアルミ包材などで摘むようにして抜き取られ、図１４に示す状態では、測定器５１に設けられたイジェクタ機構５１ａによって強制排出されることとなる。
【手続補正２】
【補正対象書類名】明細書
【補正対象項目名】００３２
【補正方法】変更
【補正の内容】
【００３２】
図１は、本願発明にかかる試験片の一実施形態において、測定器に対する装着状態を示した概略平面図であって、この図に示される試験片１０は、血糖値用の測定器１に用いられるものである。このような測定器１は、試料となる血液を測定対象として血糖値を表示部１ａにデジタル表示するようになっており、試験片１０は、その試料を採取するために用いられ、測定器１に対して着脱自在とされている。なお、この実施形態において使用される測定器１は、光学的非接触方式により試料の測定を行うものであって、その内部には、図示されない測光機構が内蔵されている。
【手続補正３】
【補正対象書類名】明細書
【補正対象項目名】００４９
【補正方法】変更
【補正の内容】
【００４９】
付着部２２は、上記小片体２１の平面的端寄りの位置、具体的には、小片体２１の平面凸形に突き出た先端付近一部分に円形状をもって形成されている。この付着部２２には、たとえば脱脂綿やガラス繊維濾紙、材質が綿・ナイロン・ポリエステルなどの不織布、織物、編物、メッシュなどで試料を吸収しやすい吸収体２２ａが装着固定されており、この吸収体２２ａに対して試料が滴下されることとなる。また、血糖値測定に使用する小片体２１の場合、たとえばグルコースオキシターゼ、フェリシアン化カリウムなどの試薬が吸収体２２ａにあらかじめ含浸されている。
【手続補正４】
【補正対象書類名】明細書
【補正対象項目名】００５４
【補正方法】変更
【補正の内容】
【００５４】
小片体２１が測定器１に対して完全に装着されると、その小片体２１の大部分は、測定器１内に位置した姿勢とされ、電極パターン２４の接続端部２４ａも測定器１内の計測回路と接続された状態となって電気的な測定が開始される。
【手続補正５】
【補正対象書類名】図面
【補正対象項目名】図４
【補正方法】変更
【補正の内容】
【図４】
1999113887.tif 000001
【手続補正６】
【補正対象書類名】図面
【補正対象項目名】図１１
【補正方法】変更
【補正の内容】
【図１１】
1999113887.tif 000002
【手続補正書】
【提出日】平成17年5月18日(2005.5.18)
【手続補正１】
【補正対象書類名】明細書
【補正対象項目名】特許請求の範囲
【補正方法】変更
【補正の内容】
【特許請求の範囲】
【請求項１】
組織の輪郭におけるボクセルからデータを収集する方法において
前記組織を磁場内に置く段階と、
前記組織に符号化勾配を印加して前記ボクセルを符号化する段階と、
前記符号化されたボクセルにｚ勾配を印加して、前記のすべてのボクセルのスペクトルをラーモア周波数と同じ範囲に拡散し、その際ｚ勾配は前記ｘ−ｙ符号化勾配よりも大きいものである段階と、
前記ラーモア周波数と同じ範囲の前記ボクセルからデータを収集する段階と
から成る方法。
【請求項２】
更に前記のラーモア周波数の範囲を濾過して外来雑音を減衰させる段階からなることを特徴とする請求項１に記載の方法。
【請求項３】
前記磁場が一様であることを特徴とする請求項１に記載の方法。
【請求項４】
組織サンプルを磁場内に置く段階と、
前記組織の輪郭に対して第１の帯域幅を使用して、それに含まれるボクセルを識別する段階と、
前記組織の輪郭に対して第２の帯域幅を使用して、それに含まれるボクセルのスペクトルをラーモア周波数と同じ範囲に拡散してからスピン・エコー信号を受信し、その際前記第２の帯域幅は前記第１の帯域幅よりも大きく、かつ前記第２の帯域幅は外来雑音を抑制するために広がったものであることを特徴とする磁気共鳴処理方法。
【請求項５】
更に、
前記ボクセル内の核を傾斜させる段階と、
前記第２の帯域幅に比例する割合で前記傾斜した核を再集束させて、前記ボクセルからの符号化されたスピン・エコー信号を発生する段階と、
前記符号化されたスピン・エコー信号を受信する段階と、
前記符号化されたスピン・エコー信号を利用可能なデータに変換する段階から成ることを特徴とする請求項４に記載の方法。
【手続補正書】
【提出日】平成16年9月27日(2004.9.27)
【手続補正１】
【補正対象書類名】明細書
【補正対象項目名】特許請求の範囲
【補正方法】変更
【補正の内容】
【特許請求の範囲】
【請求項１】
被検体の置かれる空間に静磁場を発生する磁石、前記静磁場空間内に傾斜磁場を発生する傾斜磁場コイル、前記被検体に高周波磁場を照射する照射コイルおよび前記被検体から発生する核磁気共鳴信号を受信する受信コイルを含む計測系と、
前記傾斜磁場コイルを駆動する傾斜磁場電源、前記照射コイルに電流を供給する高周波増幅器および前記受信コイルが検出した信号を増幅する信号増幅器を含む信号・電力増幅系と、
前記傾斜磁場電源、前記高周波増幅器および前記信号増幅器をそれぞれ制御するとともに前記核磁気共鳴信号をもとに前記被検体の断層像を再構成する信号処理系とを備え、
前記計測系の各要素を電磁波遮蔽導体からなるシールドルーム内に配置し、前記計測系の各要素と前記信号・電力増幅系の各要素とを接続する信号ライン間に、前記電磁波遮蔽導体に接続されたラインノイズ除去手段を挿入してなる核磁気共鳴診断装置において、
前記シールドルームは前記電磁波遮蔽導体と機構的且つ電気的に接続された筐体を備え、前記筐体内に前記信号・電力増幅系の少なくとも１の要素と前記ラインノイズ除去手段を一体的に収納したことを特徴とする核磁気共鳴診断装置。
【請求項２】
前記筐体を複数備え、前記信号・電力増幅系の各要素を分割して前記ラインノイズ除去手段とともに各筐体に収納したことを特徴とする請求項１記載の核磁気共鳴診断装置。
【請求項３】
被検体の置かれる空間に静磁場を発生する磁石、前記静磁場空間内に傾斜磁場を発生する傾斜磁場コイル、前記被検体に高周波磁場を照射する照射コイルおよび前記被検体から発生する核磁気共鳴信号を受信する受信コイルを含む計測系と、
前記傾斜磁場コイルを駆動する傾斜磁場電源と、
前記核磁気共鳴信号に基づいて前記被検体の画像を再構成する信号処理系と、
前記計測系が内部に配置され、電磁波遮蔽導体を備えるシールドルームと、
前記傾斜磁場コイルと前記傾斜磁場電源との間に接続されたラインノイズフィルタと、
前記傾斜磁場電源と前記ラインノイズフィルタとが内部に配置され、前記シールドルームの電磁波遮蔽導体と電気的に接続された筐体とを有し、
前記傾斜磁場電源と前記ラインノイズフィルタとは、それらを間の距離を最短にするように接続されていることを特徴とする核磁気共鳴診断装置。
【請求項４】
高周波ノイズ遮蔽のために、電気的導体材料から構成された壁面を有するシールドルームと、
高周波ノイズを遮蔽する筐体と、
前記シールドルーム内に配置された、被検体の置かれる空間に静磁場を発生する静磁場発生手段、前記静磁場空間内に傾斜磁場を発生する傾斜磁場発生手段、前記被検体に高周波磁場を照射する高周波磁場照射手段および前記被検体から発生する核磁気共鳴信号を受信する受信手段を含む計測系と、
検出された核磁気共鳴信号に基づいて被検体の画像を再構成する信号処理手段とを有し、
前記筐体は、前記シールドルームの前記電気的導体材料と電気的に接続されていることを特徴とする核磁気共鳴診断装置。
【手続補正書】
【提出日】平成17年9月2日(2005.9.2)
【手続補正１】
【補正対象書類名】明細書
【補正対象項目名】特許請求の範囲
【補正方法】変更
【補正の内容】
【特許請求の範囲】
【請求項１】
静磁場を発生する静磁場発生手段と、前記静磁場中に置かれた被検査体に対して高周波電磁波を印加して所望の領域を励起する送信手段と、前記静磁場に磁場勾配を与える傾斜磁場発生手段と、前記励起領域から発生する核磁気共鳴信号を計測する受信手段と、これら送信手段と、傾斜磁場発生手段および受信手段を所定のパルスシーケンスに従い制御する制御手段と、計測された核磁気共鳴信号を再構成して得られる画像の位相情報から前記励起領域の温度変化を求める画像処理手段を備えた磁気共鳴イメージング装置において、
前記制御手段は、前記温度変化の範囲毎に前記励起領域を分割して励起すると共に、該分割領域毎にその温度変化範囲に対応するＴＥで前記核磁気共鳴信号を計測することを特徴とする磁気共鳴イメージング装置。
【手続補正書】
【提出日】平成17年7月28日(2005.7.28)
【手続補正１】
【補正対象書類名】明細書
【補正対象項目名】特許請求の範囲
【補正方法】変更
【補正の内容】
【特許請求の範囲】
【請求項１】
画像解析装置にとりこんだ超音波皮膚画像における真皮の平均輝度を指標とすることを特徴とする、皮膚年齢の推定方法。
【請求項２】
真皮が、頬の真皮であることを特徴とする、請求項１に記載の皮膚年齢の推定方法。
【請求項３】
真皮の平均輝度と年齢との相関関係を示す、統計的に求められた回帰式に、検体の真皮の平均輝度を照らし合わせて求められる年齢を検体の皮膚年齢とすることを特徴とする請求項１又は２に記載の皮膚年齢の推定方法。
【請求項４】
請求項１から３のいずれか一項に記載の推定方法で推定した皮膚年齢を使用することを特徴とする、皮膚年齢に適した化粧料の選択方法。
【請求項５】
アクネへの対策に重点を置いたアクネ対策用化粧料と、保湿作用に重点を置いた保湿用化粧料と、保湿作用としわ改善に重点を置いたコラーゲン線維構造改善用化粧料との中から、検体の皮膚年齢が２０才未満であればアクネ対策用化粧料を選択し、検体の皮膚年齢が２０才以上４０才未満であれば保湿用化粧料を選択し、検体の皮膚年齢が４０才以上であればコラーゲン線維構造改善用化粧料を選択することを特徴とする請求項４記載の化粧料の選択方法。
【手続補正２】
【補正対象書類名】明細書
【補正対象項目名】００２１
【補正方法】変更
【補正の内容】
【００２１】
この様な皮膚生理に適合した化粧料の選択方法の例としては、次のようなものが挙げられる。
（１）若年代（皮膚年齢２０才未満）
この世代は特にアクネが問題であるので、アクネ対策を主眼とした化粧料を選択する。
（２）壮年代（２０〜４０才代）
保湿効果が衰え始めるので、保湿作用を有する化粧料を選択する。
（３）中年代以上（５０才代以上）
保湿機能が更に低下し、コラーゲン線維構造が乱れ始めるので、更に保湿機能を増強し、コラーゲン線維構造を整える作用を有する化粧料を選択する。
【手続補正書】
【提出日】平成17年8月5日(2005.8.5)
【手続補正１】
【補正対象書類名】明細書
【補正対象項目名】０００６
【補正方法】変更
【補正の内容】
【０００６】
このような２回法による歯科インプラントによる治療方法において、第１回目の治療は、欠如歯部のインプラントフィクスチャーを埋入すべき部分の歯肉を切り開いて歯肉弁とし、露出した顎骨の歯槽骨内にインプラントフィクスチャー用の埋入孔を形成し、この埋入孔内にインプラントフィクスチャーを埋入し、この埋入されたインプラントフィクスチャーの口腔内側に開口しているネジ穴にインプラントフィクスチャー側端部がインプラントフィクスチャーの略円柱状部端部と同外形寸法か又は大きな寸法を有しインプラントフィクスチャーから離れるに従ってその外径が大きくなる截頭円錐形を成す部分とこの截頭円錐形を成す部分に連続してその外径は小さくなる截頭円錐形に近似した形状を成す部分とを有しており、且つインプラントフィクスチャー側の面にはインプラントフィクスチャーの口腔内側に位置する端部に突設されている角筒状部が収納できる凹部とその中央にオネジが設けられている歯科インプラント用カバースクリューのオネジを螺合させてインプラントフィクスチャーの口腔内側に開口しているネジ穴を封塞すると共に治癒過程で骨がインプラントフィクスチャーより口腔内側にまで成長しないようにした後に、歯肉弁を元の状態に戻して露出していた顎骨の歯槽骨を歯肉弁で覆った後、歯肉弁を切り開いた位置で縫合する治療である。
【手続補正書】
【提出日】平成17年3月15日(2005.3.15)
【手続補正１】
【補正対象書類名】明細書
【補正対象項目名】特許請求の範囲
【補正方法】変更
【補正の内容】
【特許請求の範囲】
【請求項１】
シャフト部と、シャフト部に連なり螺旋状の切刃からなる作業部とを有する歯科用根管治療器具であって、作業部の横断面が、短辺対長辺の辺比が１：１．５乃至１：５の長方形であることを特徴とする歯科用根管治療器具。
【手続補正２】
【補正対象書類名】明細書
【補正対象項目名】０００９
【補正方法】変更
【補正の内容】
【０００９】
【課題を解決するための手段】
上記課題を解決するために本発明に係る歯科用根管治療器具は、シャフト部と、シャフト部に連なり螺旋状の切刃からなる作業部とを有する歯科用根管治療器具であって、作業部の横断面が、短辺対長辺の辺比が１：１．５乃至１：５の長方形に形成されたものである。
【手続補正書】
【提出日】平成16年6月9日(2004.6.9)
【手続補正１】
【補正対象書類名】明細書
【補正対象項目名】特許請求の範囲
【補正方法】変更
【補正の内容】
【特許請求の範囲】
【請求項１】
音声が入力される音声入力手段と、
複数の音声認識用辞書の何れかを用いて前記音声の音声認識を行う音声認識手段とを有し、
前記音声の音声認識の結果に応じて音声認識に使用する音声認識用辞書を他の音声認識用辞書に切り替えるか否かを判定し、前記音声の音声認識の結果に応じて前記音声に対応するコマンドを実行するか否かを判定することを特徴とする映像機器。
【請求項２】
前記複数の音声認識用辞書は、階層的に構成されていることを特徴とする請求項１に記載の映像機器。
【請求項３】
前記映像機器は、ビデオカメラであることを特徴とする請求項１または２に記載の映像機器。
【請求項４】
前記映像機器は、電子スチルカメラであることを特徴とする請求項１または２に記載の映像機器。
【手続補正２】
【補正対象書類名】明細書
【補正対象項目名】０００１
【補正方法】変更
【補正の内容】
【０００１】
【発明の属する技術分野】
本発明は、ビデオカメラや電子スチルカメラ等の映像機器に関する。
【手続補正３】
【補正対象書類名】明細書
【補正対象項目名】００１１
【補正方法】変更
【補正の内容】
【００１１】
そこで、本発明は、誤認識を少なくすることができる映像機器を提供することを目的とする。
【手続補正４】
【補正対象書類名】明細書
【補正対象項目名】００１２
【補正方法】変更
【補正の内容】
【００１２】
【課題を解決するための手段】
本発明に係る映像機器は、音声が入力される音声入力手段と、複数の音声認識用辞書の何れかを用いて前記音声の音声認識を行う音声認識手段とを有し、前記音声の音声認識の結果に応じて音声認識に使用する音声認識用辞書を他の音声認識用辞書に切り替えるか否かを判定し、前記音声の音声認識の結果に応じて前記音声に対応するコマンドを実行するか否かを判定することを特徴とする。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００５０
【補正方法】変更
【補正の内容】
【００５０】
【発明の効果】
以上説明したように、本発明によれば、誤認識を少なくすることができる。
【手続補正書】
【提出日】平成17年7月27日(2005.7.27)
【手続補正１】
【補正対象書類名】明細書
【補正対象項目名】請求項１０
【補正方法】変更
【補正の内容】
【請求項１０】
請求項５、６、７または８記載の無線通信機器であって、
前記無線通信網からの無線電波の受信状況が良好でない期間、前記通信制御手段において通信を担う部位への電力の供給を停止もしくは減少させる省電力制御手段を有することを特徴とする無線通信機器。
【手続補正書】
【提出日】平成16年8月27日(2004.8.27)
【手続補正１】
【補正対象書類名】明細書
【補正対象項目名】特許請求の範囲
【補正方法】変更
【補正の内容】
【特許請求の範囲】
【請求項１】
複数組の閾値データを記憶する閾値データ記憶部と、
スクリーン線数と解像度との比、または、前記比の定数倍の値を線数情報として前記各閾値データに対応させて記憶する線数情報記憶部と、
所望のスクリーン線数に最も近いスクリーン線数を得ることのできる前記線数情報を求め、この線数情報に対応する前記閾値データを前記閾値データ記憶部から選択する閾値データ選択手段と、
を備え、選択された前記閾値データを用いて網点画像を作成することを特徴とする網点画像作成装置。
【請求項２】
複数組の閾値データを記憶する閾値データ記憶部と、
スクリーン線数と異なる解像度との複数の組み合わせに対して少なくとも１つ設定される前記閾値データの関係を閾値データ選択テーブルとして記憶する閾値データ選択テーブル記憶部と、
を備え、所望のスクリーン線数に最も近いスクリーン線数と解像度との組み合わせに対する前記閾値データを前記閾値データ記憶部から選択し、選択された前記閾値データを用いて網点画像を作成することを特徴とする網点画像作成装置。
【請求項３】
請求項２記載の装置において、
前記閾値データ選択テーブルは、スクリーン線数と解像度との比、または、前記比の定数倍の値からなる１つの線数情報に対して１つの閾値データが対応するように設定されることを特徴とする網点画像作成装置。
【請求項４】
スクリーン線数と解像度との比、または、前記比の定数倍の値である線数情報に対する閾値データを複数組設定しておき、
所望のスクリーン線数と解像度とが与えられたとき、前記所望のスクリーン線数に最も近いスクリーン線数を得ることのできる線数情報に対する前記閾値データを選択し、
選択された前記閾値データを用いて網点画像を作成することを特徴とする網点画像作成方法。
【請求項５】
スクリーン線数と異なる解像度との複数の組み合わせに対して少なくとも１つの閾値データを設定しておき、
所望のスクリーン線数と解像度とが与えられたとき、前記所望のスクリーン線数とこの解像度との組み合わせに最も近い前記閾値データを選択し、
選択された前記閾値データを用いて網点画像を作成することを特徴とする網点画像作成方法。
【手続補正２】
【補正対象書類名】明細書
【補正対象項目名】０００９
【補正方法】変更
【補正の内容】
【０００９】
また、スクリーン線数と異なる解像度との複数の組み合わせに対して少なくとも１つ設定される閾値データの関係を閾値データ選択テーブルとして作成しておき、この閾値データ選択テーブルを用いて、所望のスクリーン線数に最も近いスクリーン線数を得ることのできる閾値データを選択できるように構成することにより、必要最小限の閾値データの組によって種々のスクリーン線数および解像度に対応した網点画像を作成することができる。
【手続補正３】
【補正対象書類名】明細書
【補正対象項目名】００２４
【補正方法】変更
【補正の内容】
【００２４】
例えば、図７は、解像度Ｒｉが１０００ＤＰＩのときの各スクリーン線数ｒｉに対する閾値データｔｈｉのセットの番号ＴＨｉをＹ、Ｍ、Ｃ、Ｋの各色毎に設定した閾値データ選択テーブルを示す。また、図８は、解像度Ｒｉが２０００ＤＰＩのときの各スクリーン線数ｒｉに対する閾値データｔｈｉのセットの番号ＴＨｉをＹ、Ｍ、Ｃ、Ｋの各色毎に設定した閾値データ選択テーブルを示す。この場合、例えば、１０００ＤＰＩ、８５ＬＰＩの閾値データｔｈｉのセット（番号ＴＨ１〜ＴＨ４で示される。）と、２０００ＤＰＩ、１７５ＬＰＩの閾値データｔｈｉのセットとは同じであり、これらの組み合わせに対しては、同じ閾値データｔｈｉを使用してそれぞれのスクリーン線数８５ＬＰＩおよび１７５ＬＰＩからなる網点画像を作成することができる。従って、このような関係を設定することにより、閾値データ記憶部２４の記憶容量を少なく抑えることができる。
【手続補正書】
【提出日】平成17年3月10日(2005.3.10)
【手続補正１】
【補正対象書類名】明細書
【補正対象項目名】０２０５
【補正方法】変更
【補正の内容】
【０２０５】
前述のように、本例のプリンタ装置においては、画像表示出力部２における表示画像と、画像印画部３による印画画像が視覚的に同等な画質として表現されるように補正を行っているものの、それでも観察者がこれらを観察するときに観察者が望むような画像を得ることは難しい。画像画質の種々の特性中でも、明度、色相、彩度により定義される色の再現においては、その傾向が顕著である。このことについて説明する（参考文献１：Ｂａｒｔｌｅｓｏｎ，Ｃ．Ｊ．ａｎｄ Ｂｒａｙ， Ｃ．Ｐ．：唐nｎ ｔｈｅ Ｐｒｅｆｅｒｒｅｄ Ｒｅｐｒｏｄｕｃｔｉｏｎ ｏｆ Ｆｌｅｓｈ，Ｂｌｕｅ−Ｓｋｙ， ａｎｄ Ｇｒｅｅｎ−Ｇｒａｓｓ Ｃｏｌｏｒｓ狽oｈｏｔｏｇｒ．Ｓｃｉ．Ｅｎｇ．６，１（１９６２）、参考文献２：イメージングＰａｒｔ１ 写真工業出版 昭和６３年１月２０日発行「画像評価の物理的側面と主観的側面」）。
【手続補正２】
【補正対象書類名】明細書
【補正対象項目名】０３９０
【補正方法】変更
【補正の内容】
【０３９０】
上記可変パラメータ選択部分１２６は、図１４（ｂ）中に示すように、可変パラメータのレベルを表示するスライドボリューム表示部１２５と可変パラメータを上下させる調整キー１２４ａ，１２４ｂを有する。ここでは、図１４（ｂ）中向かって左側の調整キー１２４ａを押すと可変パラメータのレベルが左側に移行し、図１４（ｂ）中向かって右側の調整キー１２４ｂを押すと可変パラメータのレベルが右側に移行する。例えば、可変パラメータを画像の明度とし、図１４（ｂ）中向かって左側の調整キー１２４ａが明度を下げるキーとし、図１４（ｂ）中向かって右側の調整キー１２４ｂが明度を上げるキーとすると、これら調整キー１２４ａ，１２４ｂを調整してスライドボリューム表示部１２５のレベルを変化させることにより、画像の明度も変化して表示される。
【手続補正３】
【補正対象書類名】図面
【補正対象項目名】図５
【補正方法】変更
【補正の内容】
【図５】
2000083165.tif 000001
【手続補正書】
【提出日】平成16年8月6日(2004.8.6)
【手続補正１】
【補正対象書類名】明細書
【補正対象項目名】符号の説明
【補正方法】変更
【補正の内容】
【符号の説明】
１０  デジタルフォトプリンタ
１２  スキャナ
１４  画像処理装置
１６  プリンタ
１８  操作系
１８ａ  キーボード
１８ｂ  マウス
１９ａ  モード設定キー
１９ｂ  領域取り消しキー
２０  モニタ
２２  光源
２４  可変絞り
２８  拡散ボックス
３０  キャリア
３２  結像レンズユニット
３４  ＣＣＤセンサ
３６  アンプ（増幅器）
３８  Ａ／Ｄ変換器
４０  マスク
４２  フレームメモリ
４４  画像処理部
４６  色変換部
４８  マスクメモリ
５０  スイッチ
６０  パーソナルコンピュータ
６２、１６２  マトリクス演算器ＭＴＸ
６４、７０、１６４、１７０  ローパスフィルタＬＰＦ
６６、１６６  重み出力演算器
６８  ルックアップテーブルＬＵＴ
７２、１７２、１８０  加算器
７４  ズーム回路
１７６  ルックアップテーブルＬＵＴａ
１７８  ルックアップテーブルＬＵＴｂ
【手続補正書】
【提出日】平成16年12月17日(2004.12.17)
【手続補正１】
【補正対象書類名】明細書
【補正対象項目名】特許請求の範囲
【補正方法】変更
【補正の内容】
【特許請求の範囲】
【請求項１】
塵埃を空気流と共に吸い込むための送風機を備えた電気掃除機本体と、下面に塵埃を吸い込むための吸口を備えた吸口体と、前記吸口及び前記電気掃除機本体と連通する通風路を形成する接続管とを備え、
前記吸口体は、奥行方向の長さより左右方向の長さが長い吸口本体と、前記吸口本体を前記接続管に接続する自在連結部とを備え、
前記吸口本体は、その左右方向の中央後方に形成された前記自在連結部の取付部を備え、
前記自在連結部は、管状に形成された第１の腕部と第２の腕部とを備え、
前記第１の腕部の一端は、前記吸口本体の左右方向と平行な第１の回転中心軸をもち、前記接続管を清掃面に対して高低方向に回転させる第１の回転部を介して前記取付部に接続され、
前記第１の腕部の他端と前記第２の腕部の一端は、前記第１の回転中心軸と直交する第２の回転中心軸をもち、前記接続管を吸口本体の左右方向に向けて回転させる第２の回転部を介して接続され、前記第２の腕部の他端は前記接続管に接続され、
前記第２の回転部には、前記第２の回転中心軸と直交する回転面が形成され、
前記接続管の高低方向の回転角度が最も小さい状態において、前記回転面は、前記吸口本体に向かう方向へ下るように清掃面に対して傾斜した状態をとり、かつ前記傾斜した回転面の上方側に前記第１の腕部の他端が位置し、前記傾斜した回転面の下方側に前記第２の腕部の一端が位置し、
前記接続管をひねることによって、前記自在連結部は、前記接続管のひねりに対応して前記吸口本体を清掃面上で回転させることを特徴とする電気掃除機。
【請求項２】
塵埃を空気流と共に吸い込むための送風機を備えた電気掃除機本体と、下面に塵埃を吸い込むための吸口を備えた吸口体と、前記吸口及び前記電気掃除機本体と連通する通風路を形成する接続管とを備え、
前記吸口体は、奥行方向の長さより左右方向の長さが長い吸口本体と、前記吸口本体を前記接続管に接続する自在連結部とを備え、
前記吸口本体は、その左右方向の中央後方に形成された前記自在連結部の取付部を備え、
前記自在連結部は、管状に形成された第１の腕部と第２の腕部とを備え、
前記第１の腕部の一端は、前記吸口本体の左右方向と平行な第１の回転中心軸をもち、前記接続管を清掃面に対して高低方向に回転させる第１の回転部を介して前記取付部に接続され、
前記第１の腕部の他端と前記第２の腕部の一端は、前記第１の回転中心軸と直交する第２の回転中心軸をもち、前記接続管を吸口本体の左右方向に向けて回転させる第２の回転部を介して接続され、前記第２の腕部の他端は前記接続管に接続され、
前記第２の回転部には、前記第２の回転中心軸と直交する回転面が形成され、
前記自在連結部の高低方向の回転角度が最も小さい状態において、前記回転面は、前記吸口本体に向かう方向へ下るように清掃面に対して傾斜した状態をとると共に、前記傾斜した回転面の上方側に前記第１の腕部の他端が位置し、前記傾斜した回転面の下方側に前記第２の腕部の一端が位置し、かつ前記接続管が清掃面から浮いた状態をとり、
前記接続管をひねることによって、前記自在連結部は、前記接続管のひねりに対応して前記吸口本体を清掃面上で回転させることを特徴とする電気掃除機。
【手続補正２】
【補正対象書類名】明細書
【補正対象項目名】００１０
【補正方法】変更
【補正の内容】
【００１０】
【課題を解決するための手段】
上記目的を達成するため、本願による電気掃除機の１つの発明では、
塵埃を空気流と共に吸い込むための送風機を備えた電気掃除機本体と、下面に塵埃を吸い込むための吸口を備えた吸口体と、前記吸口及び前記電気掃除機本体と連通する通風路を形成する接続管とを備え、
前記吸口体は、奥行方向の長さより左右方向の長さが長い吸口本体と、前記吸口本体を前記接続管に接続する自在連結部とを備え、
前記吸口本体は、その左右方向の中央後方に形成された前記自在連結部の取付部を備え、
前記自在連結部は、管状に形成された第１の腕部と第２の腕部とを備え、
前記第１の腕部の一端は、前記吸口本体の左右方向と平行な第１の回転中心軸をもち、前記接続管を清掃面に対して高低方向に回転させる第１の回転部を介して前記取付部に接続され、
前記第１の腕部の他端と前記第２の腕部の一端は、前記第１の回転中心軸と直交する第２の回転中心軸をもち、前記接続管を吸口本体の左右方向に向けて回転させる第２の回転部を介して接続され、前記第２の腕部の他端は前記接続管に接続され、
前記第２の回転部には、前記第２の回転中心軸と直交する回転面が形成され、
前記接続管の高低方向の回転角度が最も小さい状態において、前記回転面は、前記吸口本体に向かう方向へ下るように清掃面に対して傾斜した状態をとり、かつ前記傾斜した回転面の上方側に前記第１の腕部の他端が位置し、前記傾斜した回転面の下方側に前記第２の腕部の一端が位置し、
前記接続管をひねることによって、前記自在連結部は、前記接続管のひねりに対応して前記吸口本体を清掃面上で回転させるように、構成される。